(57)【特許請求の範囲】
【請求項１】
無線通信システムにおいて、基地局がセル間干渉を制御するための方法であって、
所定の物理リソース領域で前記基地局が属したセルの端末からＤＭＲＳ(Ｄｅｍｏｄｕｌａｔｉｏｎ Ｒｅｆｅｒｅｎｃｅ Ｓｉｇｎａｌ)又はＳＲＳ(Ｓｏｕｎｄｉｎｇ Ｒｅｆｅｒｅｎｃｅ Ｓｙｍｂｏｌ)を受信する段階と、
前記所定の物理リソース領域に対応する干渉測定方式に基づいて前記ＤＭＲＳ又は前記ＳＲＳが送信されたリソースで干渉を測定する段階と、
前記測定された干渉強度が所定の臨界値より大きい場合、前記端末を前記所定の物理リソース領域に対するｖｉｃｔｉｍ端末として決定する段階を含み、
前記所定の物理リソース領域は、隣接基地局が属する隣接セルの上りリンクビームスイーピング(ｕｐｌｉｎｋ ｂｅａｍ ｓｗｅｅｐｉｎｇ)のための物理リソース領域に対応する前記基地局が属するセルの上りリンクデータ送信のための第１物理リソース領域又は前記基地局が属するセルの前記上りリンクビームスイーピングのための第２物理リソース領域である、セル間干渉制御方法。
【請求項２】
前記ＳＲＳ又は前記ＤＭＲＳが送信されたリソースは、時間ドメイン上で前記第２物理リソース領域の１つのシンボルの時間区間を含み、前記１つのシンボルの時間区間上で干渉を測定する、請求項１に記載のセル間干渉制御方法。
【請求項３】
前記ＳＲＳが送信されたリソースは、前記第２物理リソース領域の時間ドメイン上で前記ＳＲＳの送信のための前記端末の１つの送信(Ｔｘ)ビームＩＤに対応する時間区間を含み、前記端末の１つの送信ビームＩＤに対応する時間区間上で干渉を測定する、請求項１に記載のセル間干渉制御方法。
【請求項４】
前記ＳＲＳが送信されたリソースは、前記第２物理リソース領域の時間ドメイン上で１つのＴＲＰ受信(Ｒｘ)ビームＩＤに対応する時間区間を含み、前記ＴＲＰ受信ビームＩＤに対応する時間区間上で干渉を測定する、請求項１に記載のセル間干渉制御方法。
【請求項５】
前記ＳＲＳが送信されたリソースは、前記第２物理リソース領域の時間ドメイン上で前記端末の上りリンクビーム補正(ｕｐｌｉｎｋ ｂｅａｍ ｒｅｆｉｎｅｍｅｎｔ)のための時間区間を含み、前記上りリンクビーム補正のための時間区間上で干渉を測定できる、請求項１に記載のセル間干渉制御方法。
【請求項６】
前記ＤＭＲＳが送信されたリソースは、前記第１物理リソース領域の時間ドメイン上でシンボル単位であり、前記ＤＭＲＳが送信されたシンボル単位で干渉を測定する、請求項１に記載のセル間干渉制御方法。
【請求項７】
前記ＤＭＲＳが送信されたリソースは、前記第１物理リソース領域の時間ドメイン上に１つのＴＲＰ受信(Ｒｘ)ビームＩＤに対応する時間区間を含み、前記１つのＴＲＰ受信ビームＩＤに対応する時間区間上で干渉を測定する、請求項１に記載のセル間干渉制御方法。
【請求項８】
さらに前記決定されたｖｉｃｔｉｍ端末に前記干渉測定に基づいて割り当てたａｌｍｏｓｔ ｂｌａｎｋ ｒｅｓｏｕｒｃｅに関する情報を送信する段階を含む、請求項１に記載のセル間干渉制御方法。
【請求項９】
無線通信システムにおいて、セル間干渉を制御するための基地局であって、
所定の物理リソース領域で前記基地局が属するセルの端末からＤＭＲＳ(Ｄｅｍｏｄｕｌａｔｉｏｎ Ｒｅｆｅｒｅｎｃｅ Ｓｉｇｎａｌ)又はＳＲＳ(Ｓｏｕｎｄｉｎｇ Ｒｅｆｅｒｅｎｃｅ Ｓｙｍｂｏｌ)を受信する受信器と、
前記所定の物理リソース領域に対応する干渉測定方式に基づいて前記ＤＭＲＳ又は前記ＳＲＳが送信されたリソースで干渉を測定し、
前記測定された干渉強度が所定の臨界値より大きい場合、前記端末を前記所定の物理リソース領域に対するｖｉｃｔｉｍ端末として決定するように構成されたプロセッサを含み、
前記所定の物理リソース領域は、隣接基地局が属する隣接セルの上りリンクビームスイーピング(ｕｐｌｉｎｋ ｂｅａｍ ｓｗｅｅｐｉｎｇ)のための物理リソース領域に対応する前記基地局が属するセルの上りリンクデータ送信のための第１物理リソース領域又は前記基地局が属するセルの前記上りリンクビームスイーピングのための第２物理リソース領域である、基地局。
【請求項１０】
前記ＳＲＳ又は前記ＤＭＲＳが送信されたリソースは、前記第２物理リソース領域の時間ドメイン上で１つのシンボルの時間区間を含み、前記プロセッサは前記１つのシンボルの時間区間上で干渉を測定するように構成される、請求項９に記載の基地局。
【請求項１１】
前記ＳＲＳが送信されたリソースは、前記第２物理リソース領域の時間ドメイン上で前記端末の１つの送信(Ｔｘ)ビームＩＤに対応する時間区間を含み、前記プロセッサは前記端末の１つの送信ビームＩＤに対応する時間区間上で干渉を測定するように構成される、請求項９に記載の基地局。
【請求項１２】
前記ＳＲＳが送信されたリソースは、前記第２物理リソース領域の時間ドメイン上で１つのＴＲＰ受信(Ｒｘ)ビームＩＤに対応する時間区間を含み、前記ＴＲＰ受信ビームＩＤに対応する時間区間上で干渉を測定するように構成される、請求項９に記載の基地局。
【請求項１３】
前記ＳＲＳが送信されたリソースは、前記第２物理リソース領域の時間ドメイン上で前記端末の上りリンクビーム補正(ｕｐｌｉｎｋ ｂｅａｍ ｒｅｆｉｎｅｍｅｎｔ)のための時間区間を含み、前記プロセッサは前記上りリンクビーム補正のための時間区間上で干渉を測定するように構成される、請求項９に記載の基地局。
【請求項１４】
前記ＤＭＲＳが送信されたリソースは、前記第１物理リソース領域の時間ドメイン上でシンボル単位であり、前記プロセッサは前記ＤＭＲＳが送信された前記シンボル単位で干渉を測定するように構成される、請求項９に記載の基地局。
【請求項１５】
前記ＤＭＲＳが送信されたリソースは、前記第１物理リソース領域の時間ドメイン上に１つのＴＲＰ受信(Ｒｘ)ビームＩＤに対応する時間区間を含み、前記プロセッサは前記１つのＴＲＰ受信ビームＩＤに対応する時間区間上で干渉を測定するように構成される、請求項９に記載の基地局。
【請求項１６】
さらに前記決定されたｖｉｃｔｉｍ端末に前記干渉測定に基づいて割り当てられたａｌｍｏｓｔ ｂｌａｎｋ ｒｅｓｏｕｒｃｅに関する情報を送信するように構成された送信器を含む、請求項９に記載の基地局。
【発明の詳細な説明】
【技術分野】
【０００１】
本発明は無線通信に関し、より詳しくは、無線通信システムにおいてセル間干渉を制御する方法及びそのための装置に関する。
【背景技術】
【０００２】
ＲＡＴ(Ｎｅｗ ｒａｄｉｏ Ａｃｃｅｓｓ ｔｅｃｈｎｏｌｏｇｙ)システムが導入される場合、より多い通信機器がより大きい通信容量を要求することにより、既存のＲＡＴに比べて向上したモバイル広帯域通信に対する必要性が台頭しつつある。また、複数の装置と客体（ｏｂｊｅｃｔ）とを相互接続していつどこでも様々なサービスを提供するための大規模機械タイプ通信（ｍａｓｓｉｖｅ ｍａｃｈｉｎｅ ｔｙｐｅ ｃｏｍｍｕｎｉｃａｔｉｏｎ；ｍＭＴＣ）は、次世代通信において考慮すべき主要争点の一つである。また、信頼度及び待機時間に敏感なサービス／ＵＥを考慮して設計される通信システムに関する議論が進行中である。このように、Ｎｅｗ ＲＡＴでは、向上したモバイル広帯域通信（ｅＭＢＢ）、ｍＭＴＣ、ＵＲＬＬＣ（ｕｌｔｒａ−ｒｅｌｉａｂｌｅ ａｎｄ ｌｏｗ ｌａｔｅｎｃｙ ｃｏｍｍｕｎｉｃａｔｉｏｎ）などを考慮したサービスが論議されている。
【発明の概要】
【発明が解決しようとする課題】
【０００３】
本発明で遂げようとする技術的課題は、無線通信システムにおいて基地局がセル間干渉を制御する方法を提供することにある。
【０００４】
本発明で遂げようとする他の技術的課題は、無線通信システムにおいてセル間干渉を制御する基地局を提供することにある。
【０００５】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【０００６】
上記技術的課題を達成するための無線通信システムにおいて、基地局がセル間干渉を制御するための方法は、所定の物理リソース領域で基地局が属したセルの端末からＤＭＲＳ(Ｄｅｍｏｄｕｌａｔｉｏｎ Ｒｅｆｅｒｅｎｃｅ Ｓｉｇｎａｌ)又はＳＲＳ(Ｓｏｕｎｄｉｎｇ Ｒｅｆｅｒｅｎｃｅ Ｓｙｍｂｏｌ)を受信する段階と、所定の物理リソース領域に対応する干渉測定方式に基づいてＤＭＲＳ又はＳＲＳが送信されたリソースで干渉を測定する段階と、測定された干渉強度が所定の臨界値より大きい場合、端末を所定の物理リソース領域に対するｖｉｃｔｉｍ端末として決定する段階を含み、所定の物理リソース領域は、隣接基地局が属する隣接セルの上りリンクビームスイーピング(ｕｐｌｉｎｋ ｂｅａｍ ｓｗｅｅｐｉｎｇ)のための物理リソース領域に対応する基地局が属するセルの上りリンクデータ送信のための第１物理リソース領域又は基地局が属するセルの上りリンクビームスイーピングのための第２物理リソース領域である。
【０００７】
ＳＲＳ又はＤＭＲＳが送信されたリソースは、第２物理リソース領域の時間ドメイン上で１つのシンボルの時間区間を含み、１つのシンボルの時間区間上で干渉を測定できる。
【０００８】
ＳＲＳが送信されたリソースは、第２物理リソース領域の時間ドメイン上でＳＲＳの送信のための端末の１つの送信(Ｔｘ)ビームＩＤに対応する時間区間を含み、端末の１つの送信ビームＩＤに対応する時間区間上で干渉を測定できる。
【０００９】
ＳＲＳが送信されたリソースは、第２物理リソース領域の時間ドメイン上で１つのＴＲＰ受信(Ｒｘ)ビームＩＤに対応する時間区間を含み、ＴＲＰ受信ビームＩＤに対応する時間区間上で干渉を測定できる。
【００１０】
ＳＲＳが送信されたリソースは、第２物理リソース領域の時間ドメイン上で端末の上りリンクビーム補正(ｕｐｌｉｎｋ ｂｅａｍ ｒｅｆｉｎｅｍｅｎｔ)のための時間区間を含み、上りリンクビーム補正のための時間区間上で干渉を測定できる。
【００１１】
ＤＭＲＳが送信されたリソースは、第１物理リソース領域の時間ドメイン上でシンボル単位であり、ＤＭＲＳが送信されたシンボル単位で干渉を測定できる。
【００１２】
ＤＭＲＳが送信されたリソースは、第１物理リソース領域の時間ドメイン上に１つのＴＲＰ受信(Ｒｘ)ビームＩＤに対応する時間区間を含み、１つのＴＲＰ受信ビームＩＤに対応する時間区間上で干渉を測定できる。
【００１３】
上記方法はさらに、上記決定されたｖｉｃｔｉｍ端末に干渉測定に基づいて割り当てたａｌｍｏｓｔ ｂｌａｎｋ ｒｅｓｏｕｒｃｅに関する情報を送信する段階を含む。
【００１４】
上記他の技術的課題を達成するための無線通信システムにおいて、セル間干渉を制御するための基地局は、所定の物理リソース領域で基地局が属するセルの端末からＤＭＲＳ(Ｄｅｍｏｄｕｌａｔｉｏｎ Ｒｅｆｅｒｅｎｃｅ Ｓｉｇｎａｌ)又はＳＲＳ(Ｓｏｕｎｄｉｎｇ Ｒｅｆｅｒｅｎｃｅ Ｓｙｍｂｏｌ)を受信する受信器と、所定の物理リソース領域に対応する干渉測定方式に基づいてＤＭＲＳ又はＳＲＳが送信されたリソースで干渉を測定し、測定された干渉強度が所定の臨界値より大きい場合、端末を所定の物理リソース領域に対するｖｉｃｔｉｍ端末として決定するように構成されたプロセッサを含み、所定の物理リソース領域は隣接基地局が属する隣接セルの上りリンクビームスイーピング(ｕｐｌｉｎｋ ｂｅａｍ ｓｗｅｅｐｉｎｇ)のための物理リソース領域に対応する基地局が属するセルの上りリンクデータ送信のための第１物理リソース領域又は基地局が属するセルの上りリンクビームスイーピングのための第２物理リソース領域である。
【００１５】
ＳＲＳ又はＤＭＲＳが送信されたリソースは、第２物理リソース領域の時間ドメイン上で１つのシンボルの時間区間を含み、プロセッサは１つのシンボルの時間区間上で干渉を測定するように構成される。
【００１６】
ＳＲＳが送信されたリソースは、第２物理リソース領域の時間ドメイン上で端末の１つの送信(Ｔｘ)ビームＩＤに対応する時間区間を含み、プロセッサは端末の１つの送信ビームＩＤに対応する時間区間上で干渉を測定するように構成される。
【００１７】
ＳＲＳが送信されたリソースは、第２物理リソース領域の時間ドメイン上で１つのＴＲＰ受信(Ｒｘ)ビームＩＤに対応する時間区間を含み、ＴＲＰ受信ビームＩＤに対応する時間区間上で干渉を測定するように構成される。
【００１８】
ＳＲＳが送信されたリソースは、第２物理リソース領域の時間ドメイン上で端末の上りリンクビーム補正(ｕｐｌｉｎｋ ｂｅａｍ ｒｅｆｉｎｅｍｅｎｔ)のための時間区間を含み、プロセッサは上りリンクビーム補正のための時間区間上で干渉を測定するように構成される。
【００１９】
ＤＭＲＳが送信されたリソースは、第１物理リソース領域の時間ドメイン上でシンボル単位であり、プロセッサはＤＭＲＳが送信されたシンボル単位で干渉を測定するように構成される。
【００２０】
ＤＭＲＳが送信されたリソースは、第１物理リソース領域の時間ドメイン上に１つのＴＲＰ受信(Ｒｘ)ビームＩＤに対応する時間区間を含み、プロセッサは１つのＴＲＰ受信ビームＩＤに対応する時間区間上で干渉を測定するように構成される。
【００２１】
基地局はさらに、上記決定されたｖｉｃｔｉｍ端末に干渉測定に基づいて割り当てられたａｌｍｏｓｔ ｂｌａｎｋ ｒｅｓｏｕｒｃｅに関する情報を送信するように構成された送信器を含む。
【発明の効果】
【００２２】
本発明の一実施例によれば、ＮＲ構造において、上りリンクセル間干渉を緩和して効率的にリソースを割り当てることにより通信システムの性能を向上させることができる。
【００２３】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００２４】
本発明に関する理解を助けるために詳細な説明の一部として含まれる添付の図面は、本発明に関する実施例を提供し、詳細な説明と共に本発明の技術的思想を説明する。
【００２５】
【図１】無線通信システム１００における基地局１０５及び端末１１０の構成を示すブロック図である。
【図２】データチャネルと制御チャネルがＴＤＭされたサブフレームの構造を例示する図である。
【図３】Ｎｅｗ ＲＡＴにおいて様々なサービス支援のためのＨｙｂｒｉｄ ＣＳＩ−ＲＳ(ｗｉｄｅｂａｎｄ、ｓｕｂ−ｂａｎｄ)構造を例示する図である。
【図４】Ｌｏｃａｌｉｚｅｄ ＵＲＳ(Ｕｐｌｉｎｋ ＲＳ)ユニット帯域幅(ＢＷ)の定義及び配置(ｔｒａｎｓｍｉｓｓｉｏｎ Ｃｏｍｂを含む)を例示する図である。
【図５】様々なリソース構造(ｌｏｃａｌｉｚｅｄ ＳＲＳ＋ｘＰＵＣＣＨ、ｘＰＵＣＣＨのみ、ＸＳＲＳのみの構造)設定による干渉発生を例示する図である。
【図６】セル間の異なる上りリンクリソース設定による干渉を説明する例示図である。
【図７】３ＧＰＰ ＮＲ多重ニューマロロジー間の構造を示す図である。
【図８】異なる多重ニューマロロジー構成による干渉問題を例示する図であり、(ａ)は異なるニューマロロジー間の上りリンクセル間干渉を、(ｂ)はセル間の異なる多重ニューマロロジーの構成を例示する図である。
【図９】端末ビームＩＤに対応するＳＲＳ送信を例示する図である(端末送信ビームＩＤ数＝８)。
【図１０】端末送信ビームのトラッキング時に異なるセル干渉を説明するための例示図である。
【図１１】図７の端末２(ＵＥ２)におけるビームトラッキング時にＳＲＳ送信と干渉を説明する例示図である。
【図１２】多重ＳＲＳ送信のためのビームペア順序による干渉関係を例示する図である。
【図１３】セル間干渉程度によるリソース領域分割を例示する図である。
【図１４】ＣＳＩ報告方法を例示する図である。
【図１５】端末の上りリンク送信及びＤＭＲＳの配置を例示する図である。
【図１６】特定のＵＥ ＴｘビームとＴＲＰ Ｒｘビームによる干渉測定を例示する図である。
【図１７】特定のＴＲＰ Ｒｘに対する干渉測定を例示する図である。
【図１８】上りリンクビーム補正自体の使用有無のための干渉測定方法を例示する図である。
【図１９】ＴＲＰ Ｒｘによる送信長さが異なる場合のＳＩＮＲ測定方法を例示する図である。
【図２０】図１３に示したＢ領域に対するＤＭＲＳを用いた干渉測定方法を例示する図である。
【図２１】図１３に示したＢ領域に対するＤＭＲＳを用いた干渉測定方法を例示する図である。
【図２２】領域Ｂに対するＤＭＲＳを用いた干渉測定方法を例示する(干渉測定領域の区分)図である。
【図２３】ＳＲＳ送信時にＴｘビームの送信パターンが異なる時を例示する図である。
【図２４】Ｔｙｐｅ ａによるｖｉｃｔｉｍ端末が
【００２６】
0006953549.tif 000002
端末である場合、セル間干渉調整のための動作を説明する図である。
【図２５】Ｔｙｐｅ ｂによるｖｉｃｔｉｍ端末が
【００２７】
0006953549.tif 000003
端末である場合、セル間干渉調整のための動作を説明する図である。
【図２６】Ａｌｍｏｓｔ ｂｌａｎｋ ｒｅｓｏｕｒｃｅ割当てを例示する図である。
【図２７】Ｔｙｐｅ ｃ−１によるｖｉｃｔｉｍ端末が
【００２８】
0006953549.tif 000004
端末である場合、セル間干渉調整のための動作を説明する図である。
【図２８】Ｔｙｐｅ ｃ−２によるｖｉｃｔｉｍ端末が
【００２９】
0006953549.tif 000005
端末である場合、セル間干渉調整のための動作を説明する図である。
【図２９】Ｔｙｐｅ ｃ−３によるｖｉｃｔｉｍ端末が
【００３０】
0006953549.tif 000006
端末である場合、セル間干渉調整のための動作を説明する図である。
【図３０】干渉測定方法ｔｙｐｅ ｄ−１／ｄ−２によるセル間干渉調整のための動作を説明する図である。
【図３１】図３０におけるｖｉｃｔｉｍ端末
【００３１】
0006953549.tif 000007
に対するＡｌｍｏｓｔ ｂｌａｃｋ ｒｅｓｏｕｒｃｅ構成を例示する図である。
【図３２】ｖｉｃｔｉｍ端末
【００３２】
0006953549.tif 000008
に対するＡｌｍｏｓｔ ｂｌａｃｋ ｒｅｓｏｕｒｃｅ構成を例示する図である。
【図３３】干渉測定方法Ｔｙｐｅ ｅによるセル間干渉調整のための動作を説明する図である。
【発明を実施するための形態】
【００３３】
以下、本発明の好適な実施形態を、添付の図面を参照して詳細に説明する。添付の図面と共に以下に開示される詳細な説明は、本発明の例示的な実施形態を説明するためのもので、本発明を実施できる唯一の実施形態を示すものではない。以下の詳細な説明は、本発明の完全な理解を提供するために具体的な細部事項を含む。しかし、当業者には、本発明がそれらの具体的な細部事項なしにも実施可能であるということが理解される。例えば、以下の詳細な説明は移動通信システムが３ＧＰＰ ＬＴＥ、ＬＴＥ−Ａシステムである場合を仮定して具体的に説明するが、３ＧＰＰ ＬＴＥ、ＬＴＥ−Ａの特有の事項を除けば他の任意の移動通信システムにも適用できる。
【００３４】
場合によっては、本発明の概念が曖昧になるのを避けるために、公知の構造及び装置は省略されたり、各構造及び装置の核心機能を中心にしたブロック図の形式で示されることもある。また、本明細書全体において同一の構成要素には同一の図面符号を使用して説明する。
【００３５】
なお、以下の説明において、端末は、ＵＥ(Ｕｓｅｒ Ｅｑｕｉｐｍｅｎｔ)、ＭＳ(Ｍｏｂｉｌｅ Ｓｔａｔｉｏｎ)、ＡＭＳ(Ａｄｖａｎｃｅｄ Ｍｏｂｉｌｅ Ｓｔａｔｉｏｎ)等、移動または固定型のユーザ端機器を総称すると仮定する。また、基地局は、Ｎｏｄｅ Ｂ、ｅＮｏｄｅ Ｂ、Ｂａｓｅ Ｓｔａｔｉｏｎ、ＡＰ(ａｃｃｅｓｓ Ｐｏｉｎｔ)など端末と通信するネットワーク端の任意のノードを総称すると仮定する。
【００３６】
移動通信システムにおいて、端末或いはユーザ機器(Ｕｓｅｒ Ｅｑｕｉｐｍｅｎｔ)は基地局から下りリンクにより情報を受信することができ、端末は上りリンクにより情報を送信することができる。端末が送信又は受信する情報としては、データ及び様々な制御情報があり、端末が送信又は受信する情報の種類用途によって様々な物理チャネルが存在する。
【００３７】
一方、以下の説明で使用される特定用語は、本発明の理解を助けるためも提供されたもので、これらの特定用語の使用は、本発明の技術的思想から逸脱しない範囲で他の形態に変更可能である。
【００３８】
図１は本発明の一例による無線通信システム１００における基地局１０５及び端末１１０の構成を示すブロック図である。
【００３９】
無線通信システム１００を簡略に示すために、１つの基地局１０５と１つの端末１１０を示したが、無線通信システム１００は１つ以上の基地局及び／又は１つ以上の端末を含む。
【００４０】
図１を参照すると、基地局１０５は、送信（Ｔｘ）データプロセッサ１１５、シンボル変調器１２０、送信器１２５、送受信アンテナ１３０、プロセッサ１８０、メモリ１８５、受信器１９０、シンボル復調器１９５及び受信データプロセッサ１９７を含む。そして、端末１１０は、送信（Ｔｘ）データプロセッサ１６５、シンボル変調器１７０、送信器１７５、送受信アンテナ１３５、プロセッサ１５５、メモリ１６０、受信器１４０、シンボル復調器１５５及び受信データプロセッサ１５０を含む。送受信アンテナ１３０、１３５は夫々基地局１０５及び端末１１０に１つが示されているが、基地局１０５及び端末１１０は複数の送受信アンテナを備えている。よって、本発明による基地局１０５及び端末１１０はＭＩＭＯ（Ｍｕｌｔｉｐｌｅ Ｉｎｐｕｔ Ｍｕｌｔｉｐｌｅ Ｏｕｔｐｕｔ）システムを支援する。また、本発明による基地局１０５はＳＵ−ＭＩＭＯ（Ｓｉｎｇｌｅ Ｕｓｅｒ−ＭＩＭＯ）ＭＵ−ＭＩＭＯ（Ｍｕｌｔｉ Ｕｓｅｒ−ＭＩＭＯ）方式を全て支援することができる。
【００４１】
下りリンク上で、送信データプロセッサ１１５はトラフィックデータを受信し、受信したトラフィックデータをフォーマットしてコードし、コードされたトラフィックデータをインタリーブして変調し（又はシンボルマッピングし）、変調シンボル（“データシンボル”）を提供する。シンボル変調器１２０はこのデータシンボルとパイロットシンボルを受信及び処理してシンボルのストリームを提供する。
【００４２】
シンボル変調器１２０は、データ及びパイロットシンボルを多重化し、これを送信器１２５に送信する。ここで、夫々の送信シンボルはデータシンボル、パイロットシンボル又はゼロの信号値であり得る。夫々のシンボル周期で、パイロットシンボルが連続して送信されることもできる。パイロットシンボルは周波数分割多重化（ＦＤＭ）、直交周波数分割多重化（ＯＦＤＭ）、時分割多重化（ＴＤＭ）又はコード分割多重化（ＣＤＭ）シンボルである。
【００４３】
送信器１２５はシンボルのストリームを受信し、これを１つ以上のアナログ信号に変換し、さらにこのアナログ信号を追加的に調節して（例えば、増幅、フィルタリング及び周波数アップカンバーティング（ｕｐｃｏｎｖｅｒｔｉｎｇ））して、無線チャネルを介した送信に適した下りリンク信号を発生させる。すると、送信アンテナ１３０は発生した下りリンク信号を端末に送信する。
【００４４】
端末１１０の構成において、受信アンテナ１３５は基地局からの下りリンク信号を受信し、受信された信号を受信器１４０に提供する。受信器１４０は受信された信号を調整し（例えば、フィルタリング、増幅、及び周波数ダウンカンバーティング（ｄｏｗｎｃｏｎｖｅｒｔｉｎｇ））、調整された信号をデジタル化してサンプルを獲得する。シンボル復調器１４５は受信されたパイロットシンボルを復調し、チャネル推定のためにこれをプロセッサ１５５に提供する。
【００４５】
また、シンボル復調器１４５はプロセッサ１５５から下りリンクに対する周波数応答推定値を受信し、受信されたデータシンボルに対してデータ復調を行って（送信されたデータシンボルの推定値である）データシンボル推定値を獲得し、データシンボル推定値を受信（Ｒｘ）データプロセッサ１５０に提供する。受信データプロセッサ１５０はデータシンボル推定値を復調（即ち、シンボルデマッピング（ｄｅｍａｐｐｉｎｇ））し、デインタリーブ（ｄｅｉｎｔｅｒｌｅａｖｉｎｇ）し、デコードして送信トラフィックデータを復旧する。
【００４６】
シンボル復調器１４５及び受信データプロセッサ１５０による処理は夫々基地局１０５でのシンボル変調器１２０及び送信データプロセッサ１１５による処理に対して相補的である。
【００４７】
端末１１０は上りリンク上で、送信データプロセッサ１６５はトラフィックデータを処理してデータシンボルを提供する。シンボル変調器１７０はデータシンボルを受信して多重化し、変調を行い、シンボルのストリームを送信器１７５に提供することができる。送信器１７５はシンボルのストリームを受信及び処理して上りリンク信号を発生させる。そして、送信アンテナ１３５は発生した上りリンク信号を基地局１０５に送信する。
【００４８】
基地局１０５で、端末１１０から上りリンク信号が受信アンテナ１３０を介して受信され、受信器１９０は受信した上りリンク信号を処理してサンプルを獲得する。次いで、シンボル復調器１９５はこのサンプルを処理し、上りリンクに対して受信されたパイロットシンボル及びデータシンボル推定値を提供する。受信データプロセッサ１９７はデータシンボル推定値を処理し、端末１１０から送信されたトラフィックデータを復旧する。
【００４９】
端末１１０及び基地局１０５の夫々のプロセッサ１５５、１８０は夫々端末１１０及び基地局１０５での動作を指示（例えば、制御、調整、管理など）する。夫々のプロセッサ１５５、１８０はプログラムコード及びデータを保存するメモリユニット１６０、１８５と連結されることができる。メモリ１６０、１８５はプロセッサ１８０に連結され、オペレーティングシステム、アプリケーション、及び一般ファイル（ｇｅｎｅｒａｌ ｆｉｌｅｓ）を保存する。送信器及び受信器はＲＦ ｕｎｉｔで構成される。
【００５０】
プロセッサ１５５、１８０はコントローラー（ｃｏｎｔｒｏｌｌｅｒ）、マイクロコントローラー（ｍｉｃｒｏｃｏｎｔｒｏｌｌｅｒ）、マイクロプロセッサ（ｍｉｃｒｏｐｒｏｃｅｓｓｏｒ）、マイクロコンピューター（ｍｉｃｒｏｃｏｍｐｕｔｅｒ）などとも言える。一方、プロセッサ１５５、１８０はハードウェア（ｈａｒｄｗａｒｅ）又はファームウエア（ｆｉｒｍｗａｒｅ）、ソフトウェア、又はこれらの組合せによって実現されることができる。ハードウェアを用いて本発明の実施例を実現する場合には、本発明を実行するように構成されたＡＳＩＣｓ（ａｐｐｌｉｃａｔｉｏｎ ｓｐｅｃｉｆｉｃ ｉｎｔｅｇｒａｔｅｄ ｃｉｒｃｕｉｔｓ）又はＤＳＰｓ（ｄｉｇｉｔａｌ ｓｉｇｎａｌ ｐｒｏｃｅｓｓｏｒｓ）、ＤＳＰＤｓ（ｄｉｇｉｔａｌ ｓｉｇｎａｌ ｐｒｏｃｅｓｓｉｎｇ ｄｅｖｉｃｅｓ）、ＰＬＤｓ（ｐｒｏｇｒａｍｍａｂｌｅ ｌｏｇｉｃ ｄｅｖｉｃｅｓ）、ＦＰＧＡｓ（ｆｉｅｌｄ ｐｒｏｇｒａｍｍａｂｌｅ ｇａｔｅ ａｒｒａｙｓ）などがプロセッサ１５５、１８０に備えられることができる。
【００５１】
一方、ファームウエア又はソフトウェアを用いて本発明の実施例を具現する場合には、本発明の機能又は動作を行うモジュール、過程又は関数などを含むようにファームウエア又はソフトウェアが構成されることができ、本発明を実行するように構成されたファームウエア又はソフトウェアはプロセッサ１５５、１８０内に備えられるとかメモリ１６０、１８５に保存されてプロセッサ１５５、１８０によって駆動されることができる。
【００５２】
端末と基地局の無線通信システム（ネットワーク）間の無線インターフェースプロトコルのレイヤーは通信システムでよく知られたＯＳＩ（ｏｐｅｎ ｓｙｓｔｅｍ ｉｎｔｅｒｃｏｎｎｅｃｔｉｏｎ）モデルの下位３個レイヤーに基づいて第１レイヤーＬ１、第２レイヤーＬ２及び第３レイヤーＬ３に分類されることができる。物理レイヤーは前記第１レイヤーに属し、物理チャネルを介して情報送信サービスを提供する。ＲＲＣ（Ｒａｄｉｏ Ｒｅｓｏｕｒｃｅ Ｃｏｎｔｒｏｌ）レイヤーは前記第３レイヤーに属し、ＵＥとネットワーク間の制御無線リソースを提供する。端末、基地局は無線通信ネットワークとＲＲＣレイヤーを介してＲＲＣメッセージを交換することができる。
【００５３】
この明細書において、端末のプロセッサ１５５と基地局のプロセッサ１８０は各々端末１１０及び基地局１０５が信号を送受信する機能及び貯蔵機能などを除いて、信号及びデータを処理する動作を行うが、以下では説明の便宜上、特にプロセッサ１５５，１８０について言及しない。特にプロセッサ１５５，１８０について言及しなくても、信号を送受信する機能及び貯蔵機能ではない、データ処理などの一連の動作を行っているといえる。
【００５４】
端末の送信ビームトラッキング(Ｔｘ ｂｅａｍ ｔｒａｃｋｉｎｇ)のために、端末は各候補端末の送信ビーム(Ｔｘ ｂｅａｍ)によってＳＲＳを送信する必要がある。多いビーム方向(全方向による端末の送信ビームセット)によるＳＲＳ送信ではリソース損失が多く発生するので、本発明では、ＳＲＳ送信を端末変化パターンによって柔らかく行って、適応的端末の送信ビームトラッキングを行う方法を提案する。
【００５５】
まず、３ＧＰＰ ＬＴＥ／ＬＴＥ−ＡシステムでのＳＲＳ送信に関する内容を以下の表１に説明する。
【００５６】
【表１】
0006953549.tif 000009
【００５７】
以下の表２は、３ＧＰＰ ＬＴＥ／ＬＴＥ−ＡシステムにおいてＤＣＩフォーマット４におけるトリガータイプ１のためのＳＲＳ Ｒｅｑｕｅｓｔ Ｖａｌｕｅを示す。
【００５８】
【表２】
0006953549.tif 000010
【００５９】
以下の表３は、さらに３ＧＰＰ ＬＴＥ／ＬＴＥ−ＡシステムにおけるＳＲＳ送信に関する追加内容を説明するためのものである。
【００６０】
【表３−１】
0006953549.tif 000011
【００６１】
【表３−２】
0006953549.tif 000012
【００６２】
【表３−３】
0006953549.tif 000013
【００６３】
以下の表４は、ＦＤＤにおいてトリガータイプ０のためのサブフレームオフセットの設定(Ｔｏｆｆｓｅｔ)及びＵＥ−ｓｐｅｃｉｆｉｃ ＳＲＳ ｐｅｒｉｏｄｉｃｉｔｙ(ＴＳＲＳ)を示す。
【００６４】
【表４】
0006953549.tif 000014
【００６５】
以下の表５は、ＴＤＤにおいてトリガータイプ０のためのサブフレームオフセットの設定(Ｔｏｆｆｓｅｔ)及びＵＥ−ｓｐｅｃｉｆｉｃ ＳＲＳ ｐｅｒｉｏｄｉｃｉｔｙ(ＴＳＲＳ)を示す。
【００６６】
【表５】
0006953549.tif 000015
【００６７】
【表６】
0006953549.tif 000016
【００６８】
表７はＴＤＤのためのｋＳＲＳを示す。
【００６９】
【表７】
0006953549.tif 000017
【００７０】
以下の表８は、ＦＤＤにおいてトリガータイプ１のためのサブフレームオフセットの設定(Ｔｏｆｆｓｅｔ，１)及びＵＥ−ｓｐｅｃｉｆｉｃ ＳＲＳ ｐｅｒｉｏｄｉｃｉｔｙ(ＴＳＲＳ，１)を示す。
【００７１】
【表８】
0006953549.tif 000018
【００７２】
以下の表９は、ＴＤＤにおいてトリガータイプ１のためのサブフレームオフセットの設定(Ｔｏｆｆｓｅｔ，１)及びＵＥ−ｓｐｅｃｉｆｉｃ ＳＲＳ ｐｅｒｉｏｄｉｃｉｔｙ(ＴＳＲＳ，１)を示す。
【００７３】
【表９】
0006953549.tif 000019
【００７４】
図２はデータチャネルと制御チャネルがＴＤＭされたサブフレームの構造を例示する図である。
【００７５】
図２はデータチャネルと制御チャネルがＴＤＭ(Ｔｉｍｅ Ｄｉｖｉｓｉｏｎ Ｍｕｌｔｉｐｌｅｘｉｎｇ)された１つのサブフレームを示す。図２を参照すると、斜線領域は下りリンク制御領域(即ち、下りリンク制御チャネルが送信されるリソース領域)を示し、黒色部分は上りリンク制御領域(即ち、上りリンク制御チャネルが送信されるリソース領域)を示す。図２に示したサブフレームにおいて表示のない領域は下りリンクデータ送信、又は上りリンクデータ送信のために使用できる。かかる構造の特徴は、１つのサブフレーム内で下りリンク(ＤＬ)送信と上りリンク(ＵＬ)送信が順に進行されて、サブフレーム内で下りリンクデータを送り、上りリンクＡＣＫ／ＮＡＣＫを受けることができる。結果として、データ送信のエラーが発生した時にデータ再送信までかかる時間を短縮でき、これにより最終データ伝達の遅延(ｌａｔｅｎｃｙ)を最小化することができる。
【００７６】
かかるデータチャネルと制御チャネルがＴＤＭされたサブフレーム構造において、基地局とＵＥが送信モードから受信モードに転換する過程又は受信モードから送信モードに転換する過程のための時間ギャップが必要である。このために、サブフレーム構造において、ＤＬからＵＬに転換する時点の一部ＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボルがＧＰ(ｇｕａｒｄ ｐｅｒｉｏｄ)として設定される。
【００７７】
図２において斜線領域はＤＣＩ(Ｄｏｗｎｌｉｎｋ ｃｏｎｔｒｏｌ Ｉｎｆｏｒｍａｔｉｏｎ)伝達のための物理下りリンク制御チャネル(例えば、Ｐｈｙｓｉｃａｌ Ｄｏｗｎｌｉｎｋ ｃｏｎｔｒｏｌ Ｃｈａｎｎｅｌ(ＰＤＣＣＨ))の送信領域を示し、最後のシンボルはＵＣＩ(Ｕｐｌｉｎｋ Ｃｏｎｔｒｏｌ Ｉｎｆｏｒｍａｔｉｏｎ)伝達のための物理上りリンク制御チャネル(例えば、Ｐｈｙｓｉｃａｌ Ｕｐｌｉｎｋ ｃｏｎｔｒｏｌ ＣＨａｎｎｅｌ(ＰＵＣＣＨ))の送信領域を示す。ここで、基地局が端末に伝達する制御情報であるＤＣＩは、端末が把握すべきセル設定に関する情報、下りリンクスケジューリングなどの下りリンク特定(ＤＬ ｓｐｅｃｉｆｉｃ)情報、及びＵＬグラントなどのような上りリンク特定(ＵＬ ｓｐｅｃｉｆｉｃ)情報などを含む。また端末が基地局に伝達する制御情報であるＵＣＩは、下りリンクデータに対するＨＡＲＱ ＡＣＫ／ＮＡＣＫ報告、下りリンクチャネル状態に対するＣＳＩ報告、及びＳＲ(Ｓｃｈｅｄｕｌｉｎｇ Ｒｅｑｕｅｓｔ)などを含む。
【００７８】
図２において表示のない領域は、下りリンクデータ送信のためのデータチャネル(例えば、物理下りリンク共有チャネル(Ｐｈｙｓｉｃａｌ Ｄｏｗｎｌｉｎｋ Ｓｈａｒｅｄ Ｃｈａｎｎｅｌ))として使用でき、上りリンクデータ送信のためのデータチャネル(例えば、物理上りリンク共有チャネル(Ｐｈｙｓｉｃａｌ Ｕｐｌｉｎｋ Ｓｈａｒｅｄ ＣＨａｎｎｅｌ、ＰＵＳＣＨ))が使用されることもできる。かかる構造の特徴は、１つのサブフレーム内で下りリンク送信と上りリンク送信の順に進行されて、基地局がサブフレーム内で下りリンクデータを送り、端末から下りリンクデータに対するＨＡＲＱ ＡＣＫ／ＮＡＣＫ信号を受信することができる。結果として、データ送信のエラーが発生した時にデータ再送信までかかる時間を減らすことができ、これにより最終データ伝達の遅延(ｌａｔｅｎｃｙ)を最小化することができる。
【００７９】
かかるセルフサブフレーム構造において、基地局とＵＥが送信モードから受信モードへの転換過程又は受信モードから送信モードへの転換過程のための時間ギャップ(ｔｉｍｅ ｇａｐ)が必要である。このために、セルフサブフレーム構造において、下りリンク(ＤＬ)から上りリンク(ＵＬ)に転換される時点の一部のＯＦＤＭシンボルがＧＰ(ｇｕａｒｄ ｐｅｒｉｏｄ)として設定される。
【００８０】
ＮｅｗＲＡＴに基づいて動作するシステムにおいて、構成／設定可能なセルフサブフレームタイプの一例として、少なくとも以下の４つのサブフレームタイプが考えられる。該４つのサブフレームタイプにおいて、各区間をサブフレーム内の時間順に表現する。
【００８１】
１)ＤＬ制御区間＋ＤＬデータ区間＋ＧＰ＋ＵＬ制御区間
【００８２】
２)ＤＬ制御区間＋ＤＬデータ区間
【００８３】
３)ＤＬ制御区間＋ＧＰ＋ＵＬデータ区間＋ＵＬ制御区間
【００８４】
４)ＤＬ制御区間＋ＧＰ＋ＵＬデータ区間
【００８５】
Ｎｅｗ ＲＡＴシステムの要求事項のうち、特に重要な部分は、他の測定要求事項、他の制御情報の送信が必要な多数のサービスが同時に共存する環境である。
【００８６】
Ｎｅｗ ＲＡＴでは様々なニューマロロジー／サービスが共存し、様々な上りリンクチャネル構造などが共存し、既存になかった上りリンクビームスイーピングのような設定による上りリンクチャネルと測定に関する変化が激しいと思われる。従って、これらによるセル間干渉(ＩＣＩ)にも様々な変化があり、既存の測定及び報告方法では様々な変化が発生したセル間干渉の情報獲得及び判断に不十分であるので、Ｎｅｗ ＲＡＴ環境に適する干渉測定及び報告方法を考える必要がある。特に、本発明では、Ｎｅｗ ＲＡＴの構造上、上りリンクのセル間干渉を緩和するために測定するリソース割り当て方法を提案する。
【００８７】
図３はＮｅｗ ＲＡＴにおいて様々なサービス支援のためのＨｙｂｒｉｄ ＣＳＩ−ＲＳ(ｗｉｄｅｂａｎｄ、ｓｕｂ−ｂａｎｄ)構造を例示する図である。
【００８８】
図３に示したように、Ｎｅｗ ＲＡＴの様々なサービス同時支援のためには、下りリンクの観点からして、異なるＣＳＩ−ＲＳがｗｉｄｅｂａｎｄ、ｓｕｂ−ｂａｎｄ構造で形成される必要がある。従って、もし図３の構造をＮｅｗ ＲＡＴの要求事項の１つと認定する場合、上りリンクリソースもこれに対応する形態になる可能性が高い。
【００８９】
図４はＬｏｃａｌｉｚｅｄ ＵＲＳ(Ｕｐｌｉｎｋ ＲＳ)ユニット帯域幅(ＢＷ)の定義及び配置(Ｔｒａｎｓｍｉｓｓｉｏｎ Ｃｏｍｂを含む)を例示する図である。
【００９０】
特に、上りリンクＳＲＳ(Ｎｅｗ ＲＡＴではｘＳＲＳとも表現可能)構造において、端末の全帯域送信だけではなく、他のサービス要求事項によって、１つのシンボル上でｌｏｃａｌｉｚｅｄ又はｄｉｓｔｒｉｂｕｔｅｄ形態で送信することもでき、かかる構造において効率的なリソース割り当てのためには、ＳＲＳは他の上りリンクチャネル(例えば、上りリンク制御チャネル)と多重化する構造を考える必要がある。
【００９１】
図４に示したように、全帯域が４つのＬｏｃａｌｉｚｅｄ ＳＲＳユニット帯域幅に分けられることができる。特に、Ｌｏｃａｌｉｚｅｄ ＳＲＳシーケンスの生成時、Ｚａｄｏｆｆ−Ｃｈｕ(ＺＣ)系列のルートインデックス値又はＰＲ(Ｐｓｅｕｄｏ Ｒａｎｄｏｍ)系列のスクランブルシード値を用いると、ｐｈｙｓｉｃａｌ ｃｅｌｌ ＩＤ、ｖｉｒｔｕａｌ ｃｅｌｌ ＩＤ、ＵＥ−ｄｅｄｉｃａｔｅｄ ＩＤ(ｅ．ｇ.，Ｃ−ＲＮＴＩ)、ＵＥ−ｃｏｍｍｏｎ ＩＤ(ｅ．ｇ.，ＵＥ−ｃｏｍｍｏｎ ＲＮＴＩ)、ビームＩＤ(又はインデックス)、サブフレームインデックス、シンボルインデックス、ＡＰインデックスのうちのいずれか１つによって(例えば、これらのうちのいずれか１つの関数で)決定されることができる。
【００９２】
Ｎｅｗ ＲＡＴにおける端末能力の要求事項による構造
【００９３】
Ｎｅｗ ＲＡＴシステムでは、ＬＴＥに対比して基地局と端末の要求事項が以下のように増加すると思われる。
【００９４】
−端末ＴＲＰの増加:Ｓｏｕｎｄｉｎｇ ＲＳ ｄｉｍｅｎｓｉｏｎｉｎｇ増加要求(ｐｏｒｔ、ＣＳ(Ｃｙｃｌｉｃ Ｓｈｉｆｔ)、ＯＣＣ(Ｏｒｔｈｏｇｏｎａｌ Ｃｏｖｅｒ Ｃｏｄｅ)、Ｔｒａｎｓｍｉｓｓｉｏｎ Ｃｏｍｂなど)
【００９５】
−Ａｄｖａｎｃｅｄ ｔｒａｎｓｃｅｉｖｅｒ：向上した干渉測定報告のためのＡｄｖａｎｃｅｄ ｔｒａｎｓｃｅｉｖｅｒ構造が必要である(ｎｅｔｗｏｒｋ ａｓｓｉｓｔａｎｔ干渉制御)。
【００９６】
−ＵＬビームトラッキング：下りリンクだけではなく、上りリンクチャネルのビームトラッキングの要求時、ＵＬビームトラッキングのための構造が必要である(多重シンボル−ｗｉｓｅ ＳＲＳ送信)。
【００９７】
−チャネル相互関係(Ｃｈａｎｎｅｌ ｒｅｃｉｐｒｏｃｉｔｙ)：下りリンクチャネルと上りリンクチャネルの間の相互関係が成立する場合と成立しない場合の構造が必要である(下りリンクチャネル推定のためのＵＬ ＳＲＳリソースが必要)。
【００９８】
かかる様々な端末能力の要求事項のためには、動的でかつ柔らかい(ｆｌｅｘｉｂｌｅ)ＳＲＳ設定が必要であり、効率的な制御のためには、単一の上りリンク構造(ＵＬ ｆｒａｍｅｗｏｒｋ)内で設定支援可能な構造が必要である。
【００９９】
多数のセルが密集配置された状況において、ターゲット端末が受ける上りリンクセル間干渉は、上記特定の端末がサービングセルから割り当てられたリソースのようなリソース位置に送信する隣接セル(特に、調製セル：セルのＲＳ測定時に強いＲＳＲＰを有するセル)内の端末のＴｘビーム形成により大きく発生する。かかる干渉を制御するために必要な情報は、端末−特定の情報(即ち、サービングセルに向く隣接セル端末のビーム形成パターン情報(サービング基地局(或いはサービングセル)がその端末の受信ＲＳＲＰ抽出時に使用できる情報))、位置−特定(ｓｉｔｅ−ｓｐｅｃｉｆｉｃ)の情報(即ち、調製セル内の端末がサービングセル内にターゲット端末に干渉する隣接セル端末のＴｘビーム方向を示す情報)、及びリソース−特定の情報(即ち、割り当てられたリソースと干渉するリソースの直交有無)を含む。従って、サービングセルが干渉を制御するためには、隣接セルから端末−特定の情報／位置−特定の情報／リソース−特定の情報などが提供される必要がある。
【０１００】
しかし、かかる干渉制御のための情報をＸｎシグナリングにより送信する場合、Ｘｎシグナリングオーバーヘッドが非常に大きい。従って、各上りリンクチャネルのリソース割り当て時にチャネル間の直交性、ビーム管理をＩＣＩＣ(ｉｎｔｅｒ−ｃｅｌｌ Ｉｎｔｅｒｆｅｒｅｎｃｅ Ｃｏｏｒｄｉｎａｔｉｏｎ)の観点で制約を設けて、合理的なＸｎシグナリングオーバーヘッドを有する必要がある。このために、リソース設定により干渉を測定及び緩和する方法を考える必要がある。但し、Ｎｅｗ ＲＡＴで求められる柔軟なリソース構造を支援する方法でリソース設定を設ける必要がある。
【０１０１】
図５は様々なリソース構造(ｌｏｃａｌｉｚｅｄ ＳＲＳ＋ｘＰＵＣＣＨ、ｘＰＵＣＣＨのみ、ｘＳＲＳのみの構造)の設定による干渉発生を例示する図である。
【０１０２】
図５は各サービングセル(サービングセル、調製セル０、調製セルＭ)から各々端末に同じリソース領域が割り当てられることを示している。各サービングセル(図５ではサービングセル、調製セル０、調製セルＭ)から各端末に同じリソースで互いに異なるチャネル或いは用途(サービングセルではｌｏｃａｌｉｚｅｄ ＳＲＳ、調製セル０ではｘＰＵＣＣＨ、調製セルＭでは全帯域ＳＲＳ)のリソースを割り当てることにより、各チャネルの生成時に異なる長さのシーケンスで生成されて、チャネル或いはリソースの直交性が成立しない問題があり得る。
【０１０３】
もしサービングセルと調製セル(或いは隣接セル)が互いに異なる長さのシーケンスでチャネルを生成すると、各基地局(或いはセル)は全ての異なる長さのシーケンス集合を予め認知している必要があり、調製セルは調製セルで干渉が発生するチャネル領域に関する情報(そのチャネルを生成し、物理リソースにマッピングした位置)を正確にサービングセルに知らせる必要がある。一方、同じ長さのチャネルの場合には、セル間干渉(ｉｎｔｅｒ−ｃｅｌｌ ｉｎｔｅｒｆｅｒｅｎｃｅ)を緩和する方法のうち、チャネル間の直交性の観点から設ける方法により簡単に干渉を緩和することができる。
【０１０４】
図６はセル間の異なる上りリンクリソースの設定による干渉を説明する例示図である。
【０１０５】
図６のようにセルＡにおけるＳＲＳとセルＢにおける物理上りリンクチャネル(例えば、以下、ｘＰＵＣＣＨと表す)の設定によって、ＳＲＳとｘＰＵＣＣＨの間にセル間干渉が発生することができる。セル間干渉が発生する問題を解決するために、以下のような方法が行われる。
【０１０６】
１)ｘＰＵＣＣＨフォーマット１、１ａ及び１ｂとＳＲＳはＺａｄｏｆｆ−ｃｈｕ(ＺＣ)シーケンスを使用して設計する。
【０１０７】
0006953549.tif 000020
【０１０８】
２)ＺＣシーケンスのルート設定のためのｕを、チャネル(ＳＲＳ、ｘＰＵＣＣＨ)ごとに異なるグループホッピング(Ｇｒｏｕｐ ｈｏｐｐｉｎｇ)方法で設定する。
【０１０９】
0006953549.tif 000021
において、
0006953549.tif 000022
【０１１０】
３)ｘＰＵＣＣＨ：
【０１１１】
0006953549.tif 000023
【０１１２】
サウンディング参照信号(Ｓｏｕｎｄｉｎｇ ｒｅｆｅｒｅｎｃｅ ｓｉｇｎａｌｓ)：
【０１１３】
0006953549.tif 000024
【０１１４】
上記方法を用いると、ＳＲＳとｘＰＵＣＣＨの間のセル間干渉にもＳＲＳとｘＰＵＣＣＨの間に異なるＺＣシーケンス検出により、各基地局が各チャネルを検出することができる。しかし、これは直交性(ｏｒｔｈｏｇｏｎａｌｉｔｙ)を満たすシーケンスを他のチャネルが使用する時に可能な方法であり、特にｘＰＵＣＣＨフォーマット(例えば、ｘＰＵＣＣＨフォーマット２)のように、ＳＲＳと信号生成方法が異なるチャネルとＳＲＳリソースが重なると、セル間干渉が発生して性能劣化が発生することができる。
【０１１５】
他のセルの他のニューマロロジーの間のセル間干渉
【０１１６】
図７は３ＧＰＰ ＮＲ多重ニューマロロジーの間の構造を示す図である。
【０１１７】
現在３ＧＰＰニューマロロジーの間の基本設計方向は、図７のように異なる多数のニューマロロジーが共存する方式である。以下、図７に示した３ＧＰＰ ＮＲ多重ニューマロロジーの間の構造について説明する。
【０１１８】
−異なるニューマロロジーのためのＲＢは互いに固定したグリッドに位置する必要がある。
【０１１９】
−１５ＫＨｚ×２ｎの副搬送波間隔のために、ＲＢグリッドは１５ＫＨｚの副搬送波間隔ＲＢグリッドのｎｅｓｔｅｄ ｍａｎｎｅｒとしてサブセット／上位セットと定義する。
【０１２０】
−図７の数字(ｎｕｍｂｅｒｉｎｇ)は例示である。
【０１２１】
−周波数領域の多重化の場合はＦＦＳである。
【０１２２】
ＮＲで支援する時間軸リソースについて、３ＧＰＰで承認された内容を説明すると、以下の通りである。
【０１２３】
−サブフレーム
【０１２４】
−参照ニューマロロジーとしてｘ＝１４(一般ＣＰの場合)とする。
【０１２５】
−ＦＦＳ：ｙ＝ｘ又はｙ＝ｘ／２又はｙはシグナリング
【０１２６】
−スロット
【０１２７】
−ｙ個のシンボルで構成
【０１２８】
−１つのサブフレーム内において整数倍のスロットで構成される。
【０１２９】
−スロット内の最初のシンボルに制御チャネルの使用を許容
【０１３０】
−スロット内の最後のシンボルに制御チャネルの使用を許容
【０１３１】
−スロット内の開始、終了シンボルに制御チャネルの使用を許容
【０１３２】
−他の構造は規定しない。
【０１３３】
−ミニスロット
【０１３４】
−送信のために使用したニューマロロジーにおいて、ｙＯＦＤＭシンボルより短い送信単位を支援する必要がある。
【０１３５】
−ミニスロットの開始／終了シンボルに制御チャネルを許容(両方又はいずれか一方)
【０１３６】
−最小のミニスロットを最小のスケジューリング単位である(ＦＦＳ、シンボル数)
【０１３７】
−ＦＦＳ：ＮＲはスロット又はミニスロットなどが共存する構造を支援するか否かを決定する必要がある。
【０１３８】
図８は異なる多重ニューマロロジーの構成による干渉問題を例示する図であり、(ａ)は異なるニューマロロジーの間の上りリンクセル間干渉を、(ｂ)はセル間の異なる多重ニューマロロジー構成を例示する図である。
【０１３９】
一般的には、異なる副搬送波間隔を有するサービスのＵＬリソースが互いに重なる場合(例えば、ｅＭＢＢとＵＲＬＬＣ)、各サービス内における直交性のためのシーケンス設計だけではなく、サービス間の異なるニューマロロジーを有する場合の直交性のためのシーケンス設計も必要である。
【０１４０】
上りリンクビームスイーピングによる強いセル間干渉
【０１４１】
ビームスイーピングは、下りリンクの場合、ＢＲＳを用いて各ＢＲＳ(ｂｅａｍ ｒｅｆｅｒｅｎｃｅ ｓｉｇｎａｌ)に端末の受信ビーム(Ｒｘビーム)方向が変化することによりその時のＢＲＳのＲＳＲＰ(Ｒｅｆｅｒｅｎｃｅ Ｓｉｇｎａｌ Ｒｅｃｅｉｖｅｄ Ｐｏｗｅｒ)などを測定して行うことができる。もし下りリンクのための送信／受信ビームペア(Ｔｘ／Ｒｘ ｂｅａｍ ｐａｉｒ)の相互関係(ｒｅｃｉｐｒｏｃｉｔｙ)(即ち、基地局の送信ビーム／端末の受信ビームペアと端末の送信ビーム／基地局の受信ビーム)が成立する場合、ＢＲＳにより得られた送信／受信ビームペアを上りリンクに適用することができる。一方、そうではない場合には、上りリンクの場合にはＳＲＳなどを用いることができる。最も確実な上りリンクのビームスイーピング時に各端末の全体送信ビームＩＤに対応するＳＲＳを送信する必要がある。これはＳＲＳ送信によってＰＵＳＣＨ(Ｐｈｙｓｉｃａｌ Ｕｐｌｉｎｋ Ｓｈａｒｅｄ ＣＨａｎｎｅｌ)の送信区間が小さくなることを意味し、上りリンクスループット性能を阻害する。
【０１４２】
図９は端末ビームＩＤに対応するＳＲＳ送信を例示する図である(端末送信ビームＩＤ数＝８)。
【０１４３】
図９に示したように、端末ビームＩＤが多くなるほどＳＲＳ送信領域が大きくなる。端末の送信ビーム(ＵＥ Ｔｘビーム)と基地局の受信ビーム(ＢＳ Ｒｘビーム)のペアを合わせるためのビームトラッキングのために周期的ＳＲＳ送信を考える場合、固定した端末の送信候補ビームに対するＳＲＳ送信数を上位階層で固定的に設定することができる(例えば、基地局が上位階層シグナル(ＲＲＣシグナリングなど)により固定した端末の送信候補ビームのＳＲＳ送信数を知らせることができる)。しかし、非周期的ＳＲＳ(ａｐｅｒｉｏｄｉｃ ＳＲＳ)の送信を考える場合、追加される端末の送信候補ビームに対して更なるＳＲＳ送信領域が必要であり、非周期的ビームトラッキングのために発生するＳＲＳ送信は、端末又は基地局でトリガーすることによって、各ビームトラッキングのサブフレームで設定が異なることができ、ビームトラッキングのためのシグナリング情報も非周期的ＳＲＳがトリガーされる度に端末に提供されてシグナリングオーバーヘッドが増加することができる。従って、これに関連して効率的にＳＲＳ送信とＰＵＳＣＨ送信領域を配置し、これに関連するシグナリングオーバーヘッドを減らす方法が求められる。
【０１４４】
図１０は端末の送信ビームトラッキング時に異なるセル干渉を説明する例示図であり、図１１は図７の端末２(ＵＥ２)がビームトラッキング時にＳＲＳ送信と干渉を説明する例示図である。
【０１４５】
図１０に示したように、上りリンクのビームトラッキングがトリガーされて上りリンクのビームトラッキングが行われる時、上りリンク候補ビームが他のセルに大きく干渉するビーム識別子(ｂｅａｍ ＩＤ)を有してＳＲＳを送信して(一般的にＳＲＳはビーム形成された状態で全帯域に送信)、そのタイミングにその干渉を受けたセルの上りリンクで上りリンク制御チャネル(例えば、ｘＰＵＣＣＨ)又は上りリンクデータチャネル(例えば、ｘＰＵＳＣＨ)が送信されると、該上りリンクチャネルにＳＲＳが図１１のように大きくセル間干渉(ｉｎｔｅｒ−ｅｌｌ ｉｎｔｅｒｆｅｒｅｎｃｅ)を発生させて受信性能が劣化する。
【０１４６】
図１１において、サービング基地局で受信された端末１(ＵＥ１)のｘＰＵＳＣＨ(ｋ,ｌ)リソースは、以下の数１のように示される。但し、チャネルはＡＷＧＮと仮定する。
【０１４７】
【数１】
0006953549.tif 000025
【０１４８】
図１１を参照すると、端末２(ＵＥ２)のビームトラッキングのためのＳＲＳが該当シンボルで全帯域に送信されることができるが、該当シンボルに端末１(ＵＥ１)や端末３(ＵＥ３)から上りリンク制御チャネル又は上りリンクデータチャネルの送信が行われると、該当シンボルで端末２のＳＲＳにより干渉が大きくなる。
【０１４９】
図１２は多重ＳＲＳ送信のためのビームペア順序による干渉関係を例示する図である。
【０１５０】
図１２の(ａ)はＫ１の時間区間で多重ＳＲＳ送信のためのビームペア順序が同一である場合を示し、(ｂ)はＫ１の時間区間で多重ＳＲＳ送信のためのビームペア順序が異なる場合を示す。上りリンク干渉は、上りリンクビームスイーピングのためのＳＲＳ送信ビームペア順序の設定によって変更される。
【０１５１】
図１３はセル間干渉程度によりリソース領域分割を例示する図である。 
【０１５２】
上りリンク干渉変化差によってリソース領域を区分できる。図１３の(ａ)ではセル間干渉変化(或いは干渉程度)に基づいてリソース領域をＡ、Ｂ領域に区分している。Ａ領域は上りリンクデータ送信のためのリソース領域であり、チャネル変化がほぼないと仮定できる。即ち、Ａ領域ではセル間干渉が類似する(ＵＥ Ｔｘビーム／ＴＲＰ Ｒｘビームペアが測定領域で維持される)。Ｂ領域はチャネル変化がほぼないという仮定下でもＢ領域においてセル１の上りリンクビームスイーピングのための設定(ｆｕｌｌ ｏｒ ｌｏｃａｌｉｚｅｄ ＳＲＳ送信)によってＳＲＳ送信単位(例えば、シンボル、サブシンボル)当たりのＵＥ ＴｘビームスイーピングによってＳＲＳ送信単位(例えば、シンボル、サブシンボル)の干渉変化が激しい領域に該当する。即ち、Ｂ領域は隣接セル(例えば、セル１)で上りリンクのビームスイーピングのために設定されたリソース領域である。
【０１５３】
図１３の(ｂ)は隣接セル(例えば、セル２、セル３)で上りリンクのビームスイーピング時に干渉変化による領域区分を示す。Ａ領域とＢ領域は図１３の(ａ)で説明したＡ領域及びＢ領域に該当する。Ｃ領域はセル間のＳＲＳの直交シーケンスの生成により干渉除去が容易であるが、上りリンクのデータ部分に干渉による影響がないので、干渉測定及び管理部分において補助的な役割として用いられる領域に該当する。
【０１５４】
さらに、新しい上りリンクリソースの運用において、他の干渉量を有する技術において、より様々な干渉領域を分割できるが、ここでは、上りリンクのビームスイーピングによる干渉影響に限る。干渉量が異なる領域を区分するためには、図１３に示したように、隣接セル(セル２、セル３)も他のセルであるサービングセル(例えば、セル１)の上りリンクビームスイーピングが発生する位置を把握する必要がある。隣接セル(セル２、セル３)がセル１の上りリンクビームスイーピングの位置を把握するために、セル１は上りリンクビームスイーピング設定がトリガーされる度にセル２、セル３にＸ２シグナリングにより上りリンクビームスイーピング動作を知らせることができる。かかる動作により、Ｘ２シグナリングオーバーヘッドが増加する。また、Ｘ２シグナリング自体のプロセス時間により、端末の上りリンクビームスイーピングのためのｍｕｌｔｉｐｌｅ ＳＲＳの送信時間区間が十分に長く算出される必要がある。もし基地局がリンク不安定を判断した後、上りリンクビーム補正をトリガーした時点に端末ができる限り早く上りリンクビーム補正を行う必要がある場合、上記領域の区分が容易でははい。従って、Ｘ２シグナリングを最小化し、領域を予め区分するために、端末は上りリンクビーム補正のための周期的又はｓｅｍｉ−ｐｅｒｓｉｓｔｅｎｔ ＳＲＳ送信を考えることができる。
【０１５５】
３ＧＰＰ ＬＴＥ／ＬＴＥ−Ａシステムでは、下りリンクの相互関係を用いた上りリンクビーム補正の概念自体がないだけではなく、下りリンクのためのＩＣＩＣに対する測定及び報告方法のみが記載されている。一般的には、干渉測定はＣＲＳ(ｃｅｌｌ−ｓｐｅｃｉｆｉｃ ＲＳ)又はＣＳＩ−ＲＳ又はＺＰ(Ｚｅｒｏ Ｐｏｗｅｒ)−ＣＳＩ ＲＳを用いてセル間干渉を測定する。端末がＲＳＲＰやＲＳＲＱなどを基地局に報告して、それによるセル間干渉を避ける調整方法は知られている。代表的にはａｌｍｏｓｔ ｂｌａｎｋ ｓｕｂｆｒａｍｅとｃｅｌｌ Ｒａｎｇｅ Ｅｘｐａｎｓｉｏｎである。以下の表１０はａｌｍｏｓｔ ｂｌａｎｋ ｓｕｂｆｒａｍｅ(ＡＢＳ)の定義を示す。
【０１５６】
【表１０】
0006953549.tif 000026
【０１５７】
一般的には、ＲＲＭ(ｒａｄｉｏ Ｒｅｓｏｕｒｃｅ Ｍａｎａｇｅｍｅｎｔ)のためには、ＬＴＥシステム基準２００ｍｓの間のＤＭ−ＲＳ(ＤｅＭｏｄｕｌａｔｉｏｎ Ｒｅｆｅｒｅｎｃｅ Ｓｉｇｎａｌ)部分を除去した後に平均して、ＲＳＲＰ及びＲＳＳＩを計算してＲＲＭを行う。下りリンク干渉測定の場合、ＡＢＳ(Ａｌｍｏｓｔ ｂｌａｃｋ ｓｕｂｆｒａｍｅ)動作のために、まずＡＢＳ ｓｔａｔｕｓを求めるが、基地局が送信したＣＲＳ(ｃｅｌｌ−ｓｐｅｃｉｆｉｃ ＲＳ)部分のＲＳＲＰとＳＩＮＲを端末が測定して、端末がＣＱＩ(Ｃｈａｎｎｅｌ Ｑｕａｌｉｔｙ Ｉｎｆｏｒｍａｔｉｏｎ)を送信する。このＣＱＩフィードバックは特定区間(ｉ．ｅ．５０ｍｓ)の間に受けて、このＣＱＩフィードバックのプロセスにより
0006953549.tif 000027
得られた
0006953549.tif 000028
が一定の臨界値以下である場合に、そのＣＱＩプロセスを報告した端末をｖｉｃｔｉｍ端末として規定する。また、サービングセルは隣接セルにＡＢＳ ｓｔａｔｕｓを活性化する。従って、隣接セルは所定のパターンを有するＡＢＳ設定によりリソースを割り当てる。
【０１５８】
干渉を発生させたセル(ａｇｇｒｅｓｓｏｒ ｃｅｌｌ)が干渉を受けたセル(ｖｉｃｔｉｍ ｃｅｌｌ)に２つのセット(ＡＢＳが送信されるサブフレームを指すビットマップ及び測定のためのＡＢＳサブセットを示すビットマップ)に関する情報をＸ２インターフェースにより送信する。Ｘ２インターフェースにより干渉を発生させたセルと干渉を受けたセルが情報を共有することができる。
【０１５９】
端末測定／報告方法
【０１６０】
端末はどのサブフレームがＡＢＳであるかを分からないので、リソース−特定の測定及び報告を行う。サービング基地局はｖｉｃｔｉｍ端末(干渉の影響を受ける端末)にサブフレームセットの情報を知らせることができる。サブフレームセットには２つ(ＲＬＦ及びＲＲＭのためのサブフレームセットとＣＳＩ報告のためのサブフレームセット)がある。
【０１６１】
ＲＬＦ(ｒａｄｉｏ ｌｉｎｋ ｆａｉｌｕｒｅ)及びＲＲＭ(ｒａｄｉｏ ｒｅｓｏｕｒｃｅ ｍａｎａｇｅｍｅｎｔ)のためのサブフレームセットは、ＲＬＦとＲＲＭ判断のためのサブフレームセットであり、ｒｅｌａｔｉｖｅ ｓｔａｔｉｃに設定され、ｌｏｎｇ ｔｅｒｍに設定される。ＣＳＩ報告のためのサブフレームセットは、ＡＢＳとｎｏｎ−ＡＢＳのためのＣＳＩタイプとＡｇｇｒｅｓｓｏｒ ｃｅｌｌ １のＡＢＳとａｇｇｒｅｓｓｏｒ ｃｅｌｌ ２のＡＢＳのためのＣＳＩタイプに対する報告サブフレームをいう。
【０１６２】
図１３を参照しながらＣＳＩ報告方法について説明する。
【０１６３】
図１４はＣＳＩ報告方法を例示する図である。
【０１６４】
図１４の(ａ)に示したように、ＣＳＩタイプに対するサブフレームが重複しないように設定できる。図１４の(ａ)は周期的なＣＳＩ報告に関し、各タイプに連関するサブフレームセット(ｓｕｂｆｒａｍｅ＃０)について周期的なＣＳＩ報告がｓｕｂｆｒａｍｅ ＃ｎ＋３で行われる。
【０１６５】
図１４の(ｂ)は下りリンクトリガーリング基盤の非周期的ＣＳＩ報告方法を例示する。
【０１６６】
既存のＲＳＲＰとＲＳＲＱ測定による問題
【０１６７】
レイヤ３(Ｌ３)などの上位階層における活用のためのＲＲＭ測定などでは、ＲＳＲＰを測定する必要がある。この方法は、主に２００ｍｓ程度の測定期間が必要である。ＬＴＥシステムにおいて、干渉測定のためには端末がＣＲＳなどを特定期間の間に測定し、ＡＢＳの場合、測定最小長さはサブフレーム長さであって、サブフレーム内のＣＲＳを平均する方法で処理する。Ｎｅｗ ＲＡＴシステムの場合、サービスごとに割り当てされる周波数リソースも異なり、上りリンクビームスイーピングが導入される状況において上りリンクの干渉を測定する場合、上りリンクシンボル当たりのビームスイーピングによりシンボル当たりの干渉量が変化することができる。よって、既存の干渉測定方法をＮｅｗ ＲＡＴ上りリンクに適用することは好ましくない。即ち、シンボル当たり、サブバンド当たりに上りリンク干渉を測定する方法が必要である。
【０１６８】
Ｎｅｗ ＲＡＴ要求事項に合うＩＣＩＣ設定が必要であるが、本発明ではＮｅｗ ＲＡＴ ＵＬ ＩＣＩＣ方法について説明する。より具体的には、チャネルレベルの相互関係、ビームレベルの相互関係が合わない場合の上りリンク干渉を減らす方法について提案する。
【０１６９】
上りリンクの干渉方法
【０１７０】
図１５は端末の上りリンク送信及びＤＭＲＳの配置を例示する図である。 
【０１７１】
図１５の(ａ)は基本上りリンクの送信構造を例示し、図１５の(ｂ)は基地局ＤＭＲＳ受信を既存のＤＭＲＳ情報により除去することを例示している。
【０１７２】
上りリンクＤＭＲＳ部分とＳＲＳ部分は、基地局と端末の間で所定のパターンにより設定される。即ち、基地局と端末はＳＲＳシーケンス生成方法、リソース位置などの情報を共有する。上りリンクの干渉測定は、上りリンクのデータ領域で他のセルからの干渉を測定することを意味する。図１５の(ａ)に示したように、一般的にＤＭＲＳは上りリンクデータ領域でマッピングされる。従って、上りリンクの基本干渉測定は、図１５の(ｂ)に示したように、基地局が受信したＤＭＲＳ部分を除去した後、その除去した領域の電力を平均して平均的な上りリンクの干渉を測定する。
【０１７３】
Ｎｅｗ ＲＡＴでは様々なニューマロロジー／サービスが共存し、様々な上りリンクチャネル構造が共存する状況、及び上りリンクのビームスイーピングのような既存になかった設定による上りリンクチャネルと測定に対する変化が激しいと予想されて、それによるセル間干渉にも様々な変化が発生し得る。従って、既存の測定及び報告方法ではセル間干渉情報の獲得及び判断に不十分であり、Ｎｅｗ ＲＡＴにおけるより多い様々な状況を考慮できる新しい測定及び報告方法を考える必要がある。本発明では、Ｎｅｗ ＲＡＴの構造上、上りリンクのセル間干渉(ＩＣＩ)を緩和するための測定及びリソース割り当て方法を提案する。
【０１７４】
実施例１
【０１７５】
本発明の一実施例として、実施例１は上りリンクのリソース領域において類似する干渉程度を有する領域を区分して、各領域に対して干渉測定によりｖｉｃｔｉｍ端末を規定或いは決定する。即ち、上りリンクビームスイーピングのためのＳＲＳ設定方法によって、干渉測定のためのリソース領域を区分できる。上りリンクビームスイーピングのためのＳＲＳ設定方法には、以下のような４つの場合が考えられる。
【０１７６】
(１)特定のＴＲＰ Ｒｘビームが持続する上りリンクリソース区間内で、各セルにおいて上りリンクのビームスイーピングのために設定されたＴｘビーム数とＵＥ Ｔｘビームスイーピング順序が同一に設定された場合
【０１７７】
(２)特定のＴＲＰ Ｒｘビームが持続する上りリンクリソース区間内で、各セルにおいて上りリンクのビームスイーピングのために設定されたＴｘビーム数は同一であり、ＵＥ Ｔｘビームスイーピング順序は異なるように設定された場合
【０１７８】
(３)特定のＴＲＰ Ｒｘビームが持続する上りリンクリソース区間内で、各セルにおいて上りリンクのビームスイーピングのために設定されたＴｘビーム数は異なり、ＵＥ Ｔｘビームスイーピング順序は同一に設定された場合
【０１７９】
(４)特定のＴＲＰ Ｒｘビームが持続する上りリンクリソース区間内で、各セルにおいて上りリンクのビームスイーピングのために設定されたＴｘビーム数とＵＥ Ｔｘビームスイーピング順序が異なるように設定された場合
【０１８０】
図１３に示した干渉測定領域Ａのための測定方法をＴｙｐｅ ａといい、Ｔｙｐｅ ａの干渉測定方法は以下のように行われる。
【０１８１】
Ａ．サービングセルは該当サブフレームのＤＭＲＳに対する特定期間の間に(上位階層で設定される)ＳＩＮＲを測定する。インデックスｋの端末に対して、平均
0006953549.tif 000029
、ｕｐｄａｔｅｄ ＳＩＮＲ
0006953549.tif 000030
などを考えることができる。ここで、
0006953549.tif 000031
は順次的なＤＭＲＳカウントインデックスである。
【０１８２】
Ｂ．測定されたＳＩＮＲがターゲットＳＩＮＲ(又はＳＩＮＲ臨界値)より低い端末をｖｉｃｔｉｍ端末として規定又は定義する。ＳＩＮＲ臨界値に関する情報は、基地局がＲＲＣシグナリング又はＤＣＩ(Ｄｏｗｎｌｉｎｋ ｃｏｎｔｒｏｌ Ｉｎｆｏｒｍａｔｉｏｎ)により端末に提供できる。
【０１８３】
Ｔｙｐｅ ｂは１つのシンボルのＳＲＳ送信時に示される領域Ｃにおける干渉測定方法である。Ｔｙｐｅ ｂの干渉測定方法は以下のように行われる。
【０１８４】
Ａ．ＤＭＲＳが送信されるビームペアと同じビームペアでＳＲＳが送信されるので、ＳＲＳ送信シンボル部分とＤＭＲＳ部分について基地局はＳＲＳ測定とＤＭＲＳ測定を併せてＳＩＮＲを算出するか、又はＳＲＳ、ＤＭＲＳ部分の各々についてＳＩＮＲを算出して用いることができる。
【０１８５】
Ｂ．
0006953549.tif 000032
但し、
0006953549.tif 000033
Ｍはｋ端末に割り当てられた上りリンクリソース内のＤＭＲＳ ＲＥ(Ｒｅｓｏｕｒｃｅ Ｅｌｅｍｅｎｔ)数、ＳＲＳ ＲＥ数、又はＤＭＲＳ ＲＥ数＋ＳＲＳ ＲＥ数である。
0006953549.tif 000034
はｋ端末に割り当てられた上りリンクリソース内のｉ番目のＤＭＲＳ又はＳＲＳ ＲＥのＳＩＮＲを示す。
【０１８６】
Ｃ．一般的には、Ｔｙｐｅ ｂはＴＲＰ Ｔｘ／ＵＥ Ｒｘビームのｃｏｒｒｅｓｐｏｎｄｅｎｃｅが成立する時に使用される。
【０１８７】
図１６は特定のＵＥ ＴｘビームとＴＲＰ Ｒｘビームによる干渉測定を例示する図である。
【０１８８】
Ｔｙｐｅ ｃ−１は、特定区間の間にｍｕｌｔｉｐｌｅ ＳＲＳシンボルが送信される場合に、ビームペア順序とＳＲＳ送信長さが同一である時、Ｃ領域において特定のビームペアに対応するリソースのＳＩＮＲを測定するタイプである。図１６の例示において、Ｔｙｐｅ ｃ−１はＮ１＝Ｎ２(各セルにおいて上りリンクのビームスイーピングＳＲＳの設定時、ＵＥ Ｔｘビーム数又はＵＥ ＴｘビームがマッピングされるＳＲＳシンボル数が同一)、Ｋ１＝Ｋ２(各セルにおいて上りリンクのビームスイーピングＳＲＳの設定時、１つのＴＲＰ Ｒｘビームに対応するＳＲＳ送信長さが同一)である場合を示し、基地局は点線のハッチング部分のＳＲＳ領域上でＳＩＮＲを測定する。即ち、サービングセルはＴｙｐｅ ｃ−１によって端末のＴｘビームＩＤ(例えば、１つのＴｘビームＩＤ)に対応するＳＲＳ領域単位でＳＩＮＲを測定できる。サービングセルは大きい干渉を発生させる端末のＴｘビームＩＤに関する情報や大きい干渉を発生させる端末のＴｘビームＩＤに対応するリソース(例えば、シンボルインデックスなど)をサービング端末に送信する。ＳＩＮＲは以下の数２のように示される。
【０１８９】
【数２】
0006953549.tif 000035
【０１９０】
0006953549.tif 000036
は特定のＵＥ Ｔｘビーム(例えば、図１６において点線で示したシンボルインデックス又はＳＲＳリソース位置インデックス)でＫ１までＳＩＮＲを測定した後、平均的ＳＩＮＲを測定する。
【０１９１】
図１７は特定のＴＲＰ Ｒｘに対する干渉測定を例示する図である。
【０１９２】
Ｔｙｐｅ ｃ−２は、Ｎ１＝Ｎ２、Ｋ１＝Ｋ２である場合に、固定したＴＲＰ Ｒｘビームに対する上りリンクのリソース干渉測定の用途に活用できる。図１７に示したＫ１区間の間に多重ＳＲＳ送信領域のＳＩＮＲを測定することができる。即ち、サービングセルは同一のＴＲＰ受信ビームＩＤに対応するリソース領域に対するＳＩＮＲを測定する。Ｔｙｐｅ ｃ−２により測定されたＳＩＮＲは以下の数３のように示される。
【０１９３】
【数３】
0006953549.tif 000037
【０１９４】
図１８は上りリンクビーム補正自体の使用有無のための干渉測定方法を例示する図である。
【０１９５】
Ｔｙｐｅ ｃ−３は、Ｎ１＝Ｎ２、Ｋ１＝Ｋ２である場合に、上りリンクのビームスイーピング自体の干渉測定のためのタイプである。サービングセルはＣ領域において上りリンクのビーム補正のためのリソース領域に対してＳＩＮＲを測定する。サービングセルはＴｙｐｅ ｃ−３によって図１８におけるある特定期間Ｋ３の間にＭｕｌｔｉｐｌｅ ＳＲＳに対してＳＩＮＲを測定して、上りリンクのビーム補正の使用有無を決定する。以下の数４はＴｙｐｅ ｃ−３によるＳＩＮＲ測定(例えば、上りリンクのビーム補正による平均的な干渉測定)方法を示す。
【０１９６】
【数４】
0006953549.tif 000038
【０１９７】
図１９はＴＲＰ Ｒｘによる送信長さが異なる場合のＳＩＮＲ測定方法を例示する図である。
【０１９８】
ＴＲＰ Ｒｘビームの送信長さがセルごとに異なる場合、即ち、Ｋ１≠Ｋ２、Ｎ１＝Ｎ２＝Ｎ３＝Ｎ４である場合、ＳＩＮＲ測定領域を図１９に示したように区分できる。図１９はＳＩＮＲ測定領域を３つに分割し、分割された各領域内における干渉を測定する方式を例示している。即ち、Ｋ１がＫ２より大きい場合、図１９に示したように、Ｋ２長さに合わせてＳＩＮＲ測定領域を設定することができる。各セルが周期的なＳＲＳ設定に関する情報を有していると、サービングセル又は隣接セルを区分できる。又は、非周期的なＳＲＳを考えると、基地局がＤＣＩにより非周期的ＳＲＳ設定に関する情報を知らせることができる。
【０１９９】
図２０及び図２１は、図１３に示したＢ領域に対するＤＭＲＳを用いた干渉測定方法を例示する図である。
【０２００】
図１３において、Ｂ領域の発生は、図２０及び図２１におけるＮ１とＮ２が互いに異なる値である時に発生する。この時には、隣接セルの上りリンクデータ領域がサービングセルの上りリンクビーム補正のための領域により、又は隣接セルにおける上りリンクビーム補正のための領域がサービングセルの上りリンク部分に干渉として発生することができる。図２０及び図２１は、Ｎ２＞Ｎ１である場合の例示であり、サービングセルのＢ領域(図１３に示したＢ領域)のＤＭＲＳ部分についてＳＩＮＲを測定することを示す。
【０２０１】
図２０は同じビームペア干渉の測定のためのＤＭＲＳ領域(点線で表示)を示し、図２１は同じＴＲＰ Ｒｘビーム干渉測定のためのＤＭＲＳ領域を示す。図２０に示したＤＭＲＳを用いた同じビームペア干渉の測定のための方法をＴｙｐｅ ｄ−１といい、図２１に示したＤＭＲＳを用いた同じＴＲＰ Ｒｘビーム干渉測定方法をＴｙｐｅ ｄ−２という。
【０２０２】
Ｔｙｐｅ ｄ−１方法において、基地局はＳＩＮＲを測定したシンボルインデックスに関する情報を端末にＤＣＩにより送信することができる。又は基地局がＵＬグラントの送信時に該当上りリンクシンボルを使用する端末に干渉が大きい領域であることを指示することができる。Ｔｙｐｅ ｄ−２の方法では、基地局がＳＩＮＲを測定したＴＲＰ Ｒｘインデックス又はそのインデックスに該当する上りリンクリソース位置に関する情報を端末に提供することができる。
【０２０３】
図２２は領域Ｂに対するＤＭＲＳを用いた干渉測定方法を例示する(干渉測定領域の区分)図である。
【０２０４】
干渉測定領域は、図２２に示したように区分できる。上りリンクビーム補正のための周期的又はｓｅｍｉ−ｐｅｒｓｉｓｔｅｎｔ設定において、Ｋ１≠Ｋ２、Ｎ１≠Ｎ２である場合、基地局はＳＩＮＲ測定領域を変更しながらＴｙｐｅ ｄ−１又はＴｙｐｅ ｄ−２などを用いて干渉を測定することができる。
【０２０５】
図２３はＳＲＳ送信時にＴｘビーム送信パターンが異なる場合を例示する図である。
【０２０６】
上りリンクのビーム補正のためのビーム送信パターンがＳＲＳを送信するたびに変化する場合、変化する特定シンボル当たりのＳＩＮＲを測定するか、又は上りリンクのビーム補正全体に対する使用有無を判断するために、長い周期で平均ＳＩＮＲを測定する方法が考えられる。Ｔｙｐｅ ｅは上りリンクビーム補正全体に対する平均干渉を測定するタイプに限定される(Ｋ１＝Ｋ２、Ｎが全て同一であっても)。特定シンボル当たりのＳＩＮＲ測定方法は短い周期の測定には有利であるものの、チャネルの時効性(ａｇｉｎｇ)を考えると、干渉測定及び管理では有用ではない。
【０２０７】
上述した干渉測定のためのタイプに関する簡略な説明とそれによるｖｉｃｔｉｍ端末宣言或いは決定のための内容を以下の表１１に示す。１つの端末は条件を満たすと、１つ又は多数のｖｉｃｔｉｍ端末として定義されることができる。表１１は各ＳＩＮＲ測定方法によるＶｉｃｔｉｍ端末を区分した例である。
【０２０８】
【表１１】
0006953549.tif 000039
【０２０９】
以下、各ｖｉｃｔｉｍ端末の宣言或いは決定によるセル間干渉調整(ＩＣＩＣ)のための端末動作について説明する。表１１に示した干渉測定方法の各タイプによって割り当てられている端末が１つ又は多数のｖｉｃｔｉｍ端末として設定されることができる。
【０２１０】
図２４はＴｙｐｅ ａによるＶｉｃｔｉｍ端末が
0006953549.tif 000040
端末である場合、セル間干渉調整のための動作を説明する図であり、図２５はＴｙｐｅ ｂによるＶｉｃｔｉｍ端末が
0006953549.tif 000041
端末である場合、セル間干渉調整のための動作を説明する図である。
【０２１１】
図２４を参照すると、サービングセル内のサービング端末はサービングセルに上りリンクデータ及びＳＲＳを送信し、隣接セル内の端末である隣接端末は隣接セルに上りリンクデータとＳＲＳを送信する。この場合、サービングセルは上りリンクデータ領域でＤＭＲＳを用いてＳＩＮＲを測定することができる。ＳＩＮＲ測定結果によって、サービング端末がｖｉｃｔｉｍ端末として決定されると、サービングセルはサービング端末にＡｌｍｏｓｔ ｂｌａｎｋ ｒｅｓｏｕｒｃｅ割当てに関する情報を送信することができる。サービング端末は端末にＡｌｍｏｓｔ ｂｌａｎｋ ｒｅｓｏｕｒｃｅ割当てに関する情報に基づいてＡｌｍｏｓｔ ｂｌａｎｋ ｒｅｓｏｕｒｃｅ以外のリソースで上りリンク信号を送信することができる。
【０２１２】
図２５を参照すると、サービングセルは干渉測定方法の一例であるＴｙｐｅ ｂによって干渉を測定するという点で図２４とは異なる。サービングセルは上りリンクＤＭＲＳ／ＳＲＳ領域でＳＩＮＲを測定してｖｉｃｔｉｍ端末を決定する。ＳＩＮＲ測定結果によって、サービング端末がｖｉｃｔｉｍ端末として決定されると、サービングセルはサービング端末にＡｌｍｏｓｔ ｂｌａｎｋ ｒｅｓｏｕｒｃｅ割当てに関する情報を送信することができる。Ａｌｍｏｓｔ ｂｌａｎｋ ｒｅｓｏｕｒｃｅはＤＭＲＳ又はＳＲＳ設定を含むか否かによって設定が異なる。基地局はＤＣＩにより端末にＡｌｍｏｓｔ ｂｌａｎｋ ｒｅｓｏｕｒｃｅを指定できる。サービング端末は端末にＡｌｍｏｓｔ ｂｌａｎｋ ｒｅｓｏｕｒｃｅ割当てに関する情報に基づいてＡｌｍｏｓｔ ｂｌａｎｋ ｒｅｓｏｕｒｃｅ以外のリソースで上りリンク信号を送信することができる。
【０２１３】
図２６はＡｌｍｏｓｔ ｂｌａｎｋ ｒｅｓｏｕｒｃｅ割当てを例示する図である。
【０２１４】
図２６の(ａ)を参照すると、Ａｌｍｏｓｔ ｂｌａｎｋ ｒｅｓｏｕｒｃｅはＤＭＲＳ及びＳＲＳを除いたリソースで構成され、(ｂ)に示したように、Ａｌｍｏｓｔ ｂｌａｎｋ ｒｅｓｏｕｒｃｅはＳＲＳを除いたリソースで構成されることもできる。逆に、(ｃ)に示したように、Ａｌｍｏｓｔ ｂｌａｎｋ ｒｅｓｏｕｒｃｅはＤＭＲＳを除いたリソースで構成されることもできる。(ｄ)では、Ａｌｍｏｓｔ ｂｌａｎｋ ｒｅｓｏｕｒｃｅがＤＭＲＳ及びＳＲＳを全て含むリソースで構成できることを示している。
【０２１５】
図２７はＴｙｐｅ ｃ−１によるＶｉｃｔｉｍ端末が
0006953549.tif 000042
端末である場合、セル間干渉調整のための動作を説明する図であり、図２８はＴｙｐｅ ｃ−２によるＶｉｃｔｉｍ端末が
0006953549.tif 000043
端末である場合、セル間干渉調整のための動作を説明する図であり、図２９はＴｙｐｅ ｃ−３によるＶｉｃｔｉｍ端末が
0006953549.tif 000044
端末である場合、セル間干渉調整のための動作を説明する図である。
【０２１６】
図２７を参照すると、サービングセル内のサービング端末はサービングセルに上りリンクデータ及びＳＲＳを送信し、隣接セル内の端末である隣接端末は隣接セルに上りリンクデータとＳＲＳを送信する。この場合、サービングセルは端末のＴｘビームＩＤ(例えば、１つのＴｘビームＩＤ)に対応するＳＲＳ領域単位でＳＩＮＲを測定することができる。ＳＩＮＲ測定結果によって、サービングセルはサービング端末をｖｉｃｔｉｍ端末
0006953549.tif 000045
として決定する。また、サービングセルは大きい干渉を起こす端末のＴｘビームＩＤ及び／又は大きい干渉を起こす干渉リソースを指示する情報(例えば、シンボル／サブフレーム／サブシンボルインデックスなど)をサービング端末に送信することができる。サービング端末は大きい干渉を起こすＴｘビームＩＤに対応するリソースを使用しないか、又は指示された干渉リソース指示情報に基づいて他のビームペアに対応するリソースでＳＲ(ｓｃｈｅｄｕｌｉｎｇ Ｒｅｑｕｅｓｔ)を送信する。サービングセルは干渉が大きく発生しないビームペアに該当するリソースに関する情報をＵＬグラントによりサービング端末に送信する。
【０２１７】
図２８は端末の送信ビームではないＴＲＰ受信ビームを基準としてＳＩＮＲを測定するという点で、図２７とは異なる。即ち、基地局は同じＴＲＰ受信ビームＩＤに対応するリソース領域に対するＳＩＮＲを測定する。図２８を参照すると、サービングセルは同じＴＲＰ受信ビームＩＤに対応するリソース領域に対する上りリンクＳＲＳのＳＩＮＲを測定する。ＳＩＮＲ測定結果に基づいて、サービングセルはサービング端末をｖｉｃｔｉｍ端末
0006953549.tif 000046
として決定する。サービングセルはサービング端末に大きい干渉が発生したＴＲＰ ＲｘビームＩＤに関する情報及び／又は大きい干渉が発生したＴＲＸ ＲｘビームＩＤに対応するリソースを指示する情報(例えば、シンボル／サブシンボル／サブフレームインデックスを指定)を送信する。上記受信した情報に基づいて、サービング端末は大きい干渉が発生したＴＲＸ ＲｘビームＩＤに対応するリソースが周知の他のＴＲＰ ＲｘビームＩＤに対応するリソース上でＳＲを送信することができる。また、サービングセルは干渉が大きく発生しないＴＲＰ ＲｘビームＩＤに該当するリソースに関する情報をＵＬグラントによりサービング端末に送信することができる。
【０２１８】
図２９を参照すると、基地局はＣ領域で上りリンクビーム補正のためのリソース領域についてＳＩＮＲを測定するという点で図２７とは異なる。ＳＩＮＲ測定結果に基づいて、サービングセルはサービング端末をｖｉｃｔｉｍ端末
0006953549.tif 000047
として決定する。サービングセルはサービング端末に上りリンクのビームスイーピング禁止を指示する情報を送信する。上記受信した情報に基づいて、サービング端末は１つのシンボルのＳＲＳと上りリンクデータを送信する。もし、サービング端末は無線リンク状態が臨界値より悪くなる場合、サービングセルに上りリンクのビームスイーピングを要請することもできる。サービング端末の無線リンク状態が良くない場合、サービングセルはサービング端末に上りリンクのビームスイーピングを再開することを指示できる。
【０２１９】
図３０は干渉測定方法Ｔｙｐｅ ｄ−１／ｄ−２によるセル間干渉調整のための動作を説明する図である。
【０２２０】
上述したように、Ｔｙｐｅ ｄ−１／ｄ−２は、上りリンクビームスイーピングによる干渉を回避する上りリンクデータ領域におけるセル間干渉調整のためのものである。図３０を参照すると、基地局はＢ領域の上りリンクデータ領域におけるＤＭＲＳを用いてＳＩＮＲを測定することができる。サービングセルはＳＩＮＲ測定結果によってサービング端末をｖｉｃｔｉｍ端末
0006953549.tif 000048
として決定する。サービングセルはサービング端末にＢ領域で干渉が大きく発生する領域をＡｌｍｏｓｔ ｂｌａｃｋ ｒｅｓｏｕｒｃｅとして割り当てることができる。Ａｌｍｏｓｔ ｂｌａｃｋ ｒｅｓｏｕｒｃｅの構成については、以下、図３を参照して説明する。
【０２２１】
図３１は図３０におけるｖｉｃｔｉｍ端末
0006953549.tif 000049
に対するＡｌｍｏｓｔ ｂｌａｃｋ ｒｅｓｏｕｒｃｅ構成を例示する図である。
【０２２２】
図３１を参照すると、Ａｌｍｏｓｔ ｂｌａｎｋ ｒｅｓｏｕｒｃｅ構成はサービングセルがＡｌｍｏｓｔ ｂｌａｎｋ ｒｅｓｏｕｒｃｅをビットマップで指示するか、又は指示子(例えば、ＡＢＲ ｉｎｄｉｃａｔｉｏｒ)でシンボルインデックスを指示することができる。Ａｌｍｏｓｔ ｂｌａｎｋ ｒｅｓｏｕｒｃｅは隣接セルで上りリンクビーム補正が発生するサブフレームと同じタイミングに送信するサブフレームで発生する。
【０２２３】
図３２はｖｉｃｔｉｍ端末
0006953549.tif 000050
に対するＡｌｍｏｓｔ ｂｌａｃｋ ｒｅｓｏｕｒｃｅ構成を例示する図である。
【０２２４】
0006953549.tif 000051
端末の場合、
0006953549.tif 000052
端末の場合とセル間干渉調整手順が同一であるが、Ａｌｍｏｓｔ ｂｌａｃｋ ｒｅｓｏｕｒｃｅのサイズが異なることができる。図３２を参照すると、
0006953549.tif 000053
端末の場合のＡｌｍｏｓｔ ｂｌａｃｋ ｒｅｓｏｕｒｃｅのサイズが、
0006953549.tif 000054
端末の場合のＡｌｍｏｓｔ ｂｌａｃｋ ｒｅｓｏｕｒｃｅより大きいことが分かる。
【０２２５】
図３３は干渉測定方法Ｔｙｐｅ ｅによるセル間干渉調整のための動作を説明する図である。
【０２２６】
干渉測定方法としてＴｙｐｅ ｅでは、上りリンクビームスイーピングの有無に焦点が当てられている。サービングセルは上りリンクビーム補正のためのＳＲＳリソース領域上でＳＩＮＲを測定することができる。ＳＩＮＲ測定結果によって、サービングセルはサービング端末をｖｉｃｔｉｍ端末
0006953549.tif 000055
として決定できる。サービングセルは、上りリンクビームスイーピング禁止を指示する情報をサービング端末に送信することができる。
【０２２７】
上述した本発明の様々な実施例によって、Ｎｅｗ ＲＡＴにおいて干渉変化がサブバンド、シンボル又はサブシンボル単位で示される環境における上りリンクの干渉測定及びｖｉｃｔｉｍ端末として規定又は決定する方法を提案して、ｖｉｃｔｉｍ端末の干渉を効率的に管理することができる。
【０２２８】
以上で説明した実施例は本発明の構成要素と特徴が所定の形態に結合されたものである。各構成要素又は特徴は別途の明示的言及がない限り選択的なものとして考慮されなければならない。各構成要素又は特徴は他の構成要素又は特徴と結合しない形態に実施されることができる。また、一部の構成要素及び／又は特徴を結合して本発明の実施例を構成することもできる。本発明の実施例で説明する動作の順序は変更されることができる。一実施例の一部の構成又は特徴は他の実施例に含まれることができ、あるいは他の実施例の対応する構成又は特徴と取り替えられることができる。特許請求範囲で明示的な引用関係がない請求項を結合して実施例を構成するとか出願後の補正によって新しい請求項として含ませることができるのは明らかである。
【０２２９】
本発明は本発明の精神及び必須特徴から逸脱しない範疇内で他の特定の形態に具体化されることができるのは当業者に明らかである。よって、前記の詳細な説明は全ての面で制限的に解釈されてはいけなく例示的なものとして考慮されなければならない。本発明の範囲は添付の請求項の合理的解釈によって決定されなければならなく、本発明の等価的範囲内での全ての変更は本発明の範囲に含まれる。
【産業上の利用可能性】
【０２３０】
無線通信システムにおいて、セル間干渉を制御する方法及びそのための装置は、３ＧＰＰ ＬＴＥ／ＬＴＥ−Ａシステム、５Ｇ通信システムなどのような様々な無線通信システムで産業上利用可能である。
【図１】
0006953549.tif 000056
【図２】
0006953549.tif 000057
【図３】
0006953549.tif 000058
【図４】
0006953549.tif 000059
【図５】
0006953549.tif 000060
【図６】
0006953549.tif 000061
【図７】
0006953549.tif 000062
【図８】
0006953549.tif 000063
【図９】
0006953549.tif 000064
【図１０】
0006953549.tif 000065
【図１１】
0006953549.tif 000066
【図１２】
0006953549.tif 000067
【図１３】
0006953549.tif 000068
【図１４】
0006953549.tif 000069
【図１５】
0006953549.tif 000070
【図１６】
0006953549.tif 000071
【図１７】
0006953549.tif 000072
【図１８】
0006953549.tif 000073
【図１９】
0006953549.tif 000074
【図２０】
0006953549.tif 000075
【図２１】
0006953549.tif 000076
【図２２】
0006953549.tif 000077
【図２３】
0006953549.tif 000078
【図２４】
0006953549.tif 000079
【図２５】
0006953549.tif 000080
【図２６】
0006953549.tif 000081
【図２７】
0006953549.tif 000082
【図２８】
0006953549.tif 000083
【図２９】
0006953549.tif 000084
【図３０】
0006953549.tif 000085
【図３１】
0006953549.tif 000086
【図３２】
0006953549.tif 000087
【図３３】
0006953549.tif 000088